【手続補正書】
【提出日】平成16年8月5日(2004.8.5)
【手続補正１】
【補正対象書類名】明細書
【補正対象項目名】特許請求の範囲
【補正方法】変更
【補正の内容】
【特許請求の範囲】
【請求項１】
物体側から順に、少なくとも１枚の負レンズよりなり全体として負のパワーを持つ前群と、少なくとも２枚の正レンズと少なくとも１枚の負レンズとからなり全体として正のパワーを持つ後群とよりなり、前記前群と前記後群との間に、物体側より順に、光路を曲げるための反射部材と明るさ絞りとが配置され、下記条件（１）、（２）を満足する撮影光学系。
（１）    １．５＜｜ｆF |／ｆ＜３．５
（２）    １．６＜ｄM ／ｆ＜２．６
ただし、ｆは全系の焦点距離、ｆF は前群の焦点距離、ｄM は前群のレンズ最終面から明るさ絞りまでの光軸上の空気間隔である。
【請求項２】
前記後群が、物体側より順に、両凸の第１正レンズと、正レンズと負レンズとからなる接合レンズと、第２正レンズとにて構成され、前記第２正レンズが非球面を有し、下記条件（３）を満足する請求項１の撮影光学系。
（３）    ２＜Ｓd ／ｆ＜５
ただし、Ｓd は明るさ絞りから近軸像面位置までの距離である（フィルタ部は空気換算長とする）。
【請求項３】
前記後群が、物体側より順に、両凸の第１正レンズと、正レンズと負レンズとからなる接合レンズと、第２正レンズとよりなり、前記第１正レンズと前記第２正レンズとが夫々非球面を有し下記条件（３）を満足する請求項１の撮影光学系。
（３）    ２＜Ｓd ／ｆ＜５
ただし、Ｓd は明るさ絞りから近軸像面位置までの距離である（フィルタ部は空気換算長とする）。
【請求項４】
物体側より順に、少なくとも１枚の負レンズからなり全体として負のパワーを持つ前群と、少なくとも１枚の正レンズからなり全体として正のパワーを持つ後群とよりなり、撮像面を形成する撮影光学系で、前記前群と前記後群との間に配置された光路を折り曲げるための反射部材を有し、前記前群と前記撮像面との光軸上の間隔を変化させることによりフォーカシングを行なうようにした撮影光学系。
【請求項５】
前記前群が、物体側より順に、物体側が凸面である負のメニスカスレンズと、物体側の面より像面側の面が曲率が大である負レンズとよりなることを特徴とする請求項１、２又は３の撮影光学系。
【請求項６】
前記前群が非球面を有する負レンズ１枚にて構成されていることを特徴とする請求項１、２又は３の撮影光学系。
【請求項７】
下記条件（４）を満足することを特徴とする請求項５の撮影光学系。
（４）    ０．５／｜ｆF｜＜｜ψ（Ｆ）｜max ＜１．２／｜ｆF｜
ただし、｜ψ（Ｆ）｜max は前群中の各面のパワーのうちの絶対量での最大値であり、パワーψは下記の式で与えられる。
ψ＝（Ｎ′−Ｎ）／Ｒ
ここでＮ′、Ｎは夫々射出側および入射側の屈折率、Ｒは曲率半径である。
【請求項８】
下記条件（４）を満足することを特徴とする請求項６の撮影光学系。
（４）    ０．５／｜ｆF｜＜｜ψ（Ｆ）｜max ＜１．２／｜ｆF｜
ただし、｜ψ（Ｆ）｜max は前群中の各面のパワーのうちの絶対量での最大値であり、パワーψは下記の式で与えられる。
ψ＝（Ｎ′−Ｎ）／Ｒ
ここでＮ′、Ｎは夫々射出側および入射側の屈折率、Ｒは曲率半径である。
【請求項９】
前記後群の最も絞りに近い第１正レンズが下記条件（５）を満足することを特徴とする請求項１、２、３、５、６、７又は８の撮影光学系。
（５）    ２８＜νP1＜５７
ただしνP1は後群の第１正レンズのアッベ数である。
【請求項１０】
前記後群の第１正レンズが下記条件（５−１）を満足することを特徴とする請求項９の撮影光学系。
（５−１）    ３２＜νP1＜４８
【請求項１１】
前記前群と撮像面との光軸上の間隔を変化させることによりフォーカシングを行なうようにしたことを特徴とする請求項１、２、３、５、６、７、８、９又は１０の撮影光学系。
【請求項１２】
前記前群と前記後群との間隔を変化させてフォーカシングを行なうことを特徴とする請求項１、２、３、５、６、７、８又は９の撮影装置。
【請求項１３】
前記前群と前記反射部材とを前記後群の光軸方向に移動させることによりフォーカシングを行なうことを特徴とする請求項１２の撮影光学系。
【請求項１４】
前記前群の光軸方向に前記前群を移動させることによりフォーカシングを行なうことを特徴とする請求項１２の撮影光学系。
【請求項１５】
前記前群を物体側に繰り出すことによりフォーカシングを行なうことを特徴とする請求項１、２、３、４、５、６、７、８、９、１０又は１１の撮影光学系。
【請求項１６】
前記前群と前記後群の相対的位置関係を変化させずに後群と撮像面の間隔を変化させることによりフォーカシングを行なうことを特徴とする請求項４の撮影光学系。
【請求項１７】
前記前群と前記後群の相対的位置関係を変化させずに後群と撮像面の間隔を変化させることによりフォーカシングを行なうことを特徴とする請求項１１の撮影光学系。
【請求項１８】
前記撮像面上に配置された撮像素子を有し、その撮像素子を光軸方向に移動させてフォーカシングを行なうことを特徴とする請求項１６の撮影光学系。
【請求項１９】
前記撮影光学系による結像面上に配置された撮像素子を有し、前記撮像素子を光軸方向に移動させてフォーカシングを行なうことを特徴とする請求項１７の撮影光学系。
【請求項２０】
前記反射部材がミラーであることを特徴とする請求項１、２、３又は４の撮影光学系。
【請求項２１】
前記反射部材がプリズムであることを特徴とする請求項１、２、３又は４の撮影光学系。
【請求項２２】
前記前群と前記後群の屈折力を有する面が光軸に対して回転対称な球面および光軸に対して回転対称な回転対称非球面のみからなることを特徴とする請求項１、２、３、４、５、６、７、８、９又は１０の撮影光学系。
【請求項２３】
前記反射部材が反射面を１面のみ有しかつ反射面が平面であることを特徴とする請求項２２の撮影光学系。
【請求項２４】
請求項２３に記載する撮影光学系を備え、光学系の撮像面に配置された撮像素子を有し、撮像素子が受光する像を表裏反転させた電気信号に変換する信号処理手段を有する撮影装置。
【請求項２５】
前記信号処理手段により変換された電気信号をもとに撮像素子に入射した像を表裏反転させた像を表示する表示手段を有する請求項２４の撮影装置。
【手続補正２】
【補正対象書類名】明細書
【補正対象項目名】００６２
【補正方法】変更
【補正の内容】
【００６２】
これら実施例のうち、実施例１は、後群の第１正レンズの像側の面（ｒ5）と第２正レンズの像側の面（ｒ10）が非球面であり、実施例２は前群の負レンズの物体の面と後群の第１正レンズの像側の面と第２正レンズの像側の面（ｒ10）が非球面であり、実施例３および５は前群の負レンズの像側の面に樹脂層を設けその像側の面（ｒ3）を非球面とし又後群の第１正レンズの像側の面（ｒ6）および第２正レンズの像側の面（ｒ11）が非球面であり、実施例１１は、前群の負レンズの像側の面（ｒ2）と後群の第２正レンズの像側の面（ｒ10）が非球面である。
【手続補正３】
【補正対象書類名】明細書
【補正対象項目名】００８０
【補正方法】変更
【補正の内容】
【００８０】
撮像素子チップ２０にて受光された物体像は、電気的に接続された処理手段１８を介することにより反転されて正立正像の電子画像としてカメラ１０の背面に設けられた液晶表示モニター１７に表示される。また処理手段１８は、撮像素子チップ２０にて撮影された物体像を反転させた正立正像の電気信号に変換し、また電子情報として記録する記録手段１９の制御をも行なう。この記録手段１９は、処理手段１８に設けられたメモリーであってもよく、図示されているような処理手段１８と電気的に記録を書き込むディバイスであってもよい。
【手続補正４】
【補正対象書類名】明細書
【補正対象項目名】００８４
【補正方法】変更
【補正の内容】
【００８４】
これら図のうち、図４１はパソコンのカバーを開いた前方斜視図、図４２はパソコン４０の撮影光学系４１の断面図、図４４は図４１における側面図である。